(57)【要約】      （修正有）【課題】寿命が長く長期間使用ができる核エネルギーが放射する放射線を利用した放射線電池を提供する。【解決手段】核エネルギーより発生する太陽光線程度の低レベルの放射線を放射する金属板ＲＫの両側に、フィルム絶縁材ＩＮを介在させ、太陽電池モジュール板Ｍ１とＭ２を設け、核エネルギーを放射する金属板ＲＫから放射する放射線を太陽電池モジュール板Ｍ１とＭ２により電流に変換し、電源となる電気エネルギーを得る。また、フィルム絶縁材ＩＮの代わりに絶縁塗料を塗布した太陽電池モジュール板を用いてもよい。【選択図】図５
2007235078.tif 000002
【特許請求の範囲】
【請求項１】
核エネルギーより発生する放射線［放射能］、や同時発生する静電気を、炭素や金属板などに、太陽光線程度の低レベルに放射し、太陽電池モジュル板と組合せ放射線の持つ電子を、電流に変え電気エネルギーを得る、
【請求項２】
太陽電池モジュール板に絶縁塗料を塗布し、直接、核エネルギの放射線を放射し核の持つ電子を電流に変え電気エネルギーを得る、
【発明の詳細な説明】
［発明の詳細な説明］
【０００１】  ［産業上の利用分野］
電気や電池は生活上、はあらゆる分野で使用されている、電池は携帯電話、電灯など生活上絶対必要である、又自動車は石油燃料を使用している、本発明に依って得た電気を、移動式電池として、製作しあらゆる分野に使用する事がでさる、パワーも強く、長寿命で数十年以上使用できる、
更に化石燃料の替りとして使用するる。
【０００２】  ［従来の技術］
従来の電池は、充電式か使い捨て式であるため、長期仕用する事はできない、常時充電するか、物質の消耗によって電池で電源を作っているため新品交換しなければならない欠陥蛾ある、
【発明が解決しようとする課題】
【０００３】  本発明ほその欠陥を解決したものである、核エネルギーの持つ放射線の電子を太陽電池モジュル板によって電流に変え、電源となる電気エネルギーを得る、
この電気を電池に作り電源して仕用する、本発明の電池は元々核エネルギーであるため寿命が長く数十年以上の長期間使用する事が出来る、
しかも充電不要で常時電気を発電する、又化石燃料より性能の良いエネルギーが得られ、電気自動車としでも使用できる。
【０００４】  ［問題を解決する手段］
遠隔操作などに依って炭素や金属板に、太陽光線程度［１５０〜２４０レム］の低レベルの核エネルギー放射線を放射し［放射能汚染］その金属板の放射線の電子と太陽電池モジュール板を組合せ、電子を電流に変え、電気エネルギーを得るその電気を、電源の電池に製作し移動が出来る電気として使用する、
低レベルの放射能は人体には殆ど無害［必要な場合は放射能遮断用衣服ゃ手袋を着用すればよい］、
【０００５】  ［作用］
本発明は核エネルギーで放出する放射線を、低レベルの放射線［太陽光線程度］を［３図］ＲＫの炭素又は金属板に放射［放射濃汚染］しＳ，Ｒの放射線電子を太陽電池モジュール板によって電流に変え、電気エネルギーを得る、その電気を［５図］［６図］［８図］の方法によって移動式の電池に製作する、
その電池には放射線が存在する、放射線漏れを防ぐため鉛のケースに入れ更に強度を保つため鉄のケースに入れ、護す
【０００６】  ［発明の実施の形態］
【実施例】  ［１図］［２図］は原発などで実施している核燃料仕用時に放出する核エネルギーの放射線粒子である、［１図］Ｒ１の原子核の周囲をＥ１の電子が存在している、又同時に［２図］静電気も発生する、此のＥ１，Ｅ２，Ｅ３の電子を、
［３図］金属板ＲＫに低レベルで放射し［ＳＲ］その放射板と太陽電池モジュール板［４図］ＭＯを［５図］の様に組立る、［６図］
ＲＫは核エネルギーを放射した金属板で絶縁紙をはさんでＭ１，ＭＡをはさんで密着すると、ＲＫの持つ放射線電子を、太陽電池モジュール板Ｍ２，ＭＡによって電流に変換し、電気エネルギに変える、
［６図］は［５図］の組立を正面から見た図であるＲＫより放射する電子をＭ１Ｍ２のモジュル板で電流に変換する際、ＲＫ側がプラスとなる、Ｐ１とＰ２側が表面、プラス電極となる、裏面Ｎ１，Ｎ２がマイナス電極となる［８図］はその電気回路結線図である、
Ｐ１，２とＮ１，２を結線するため通常の２倍の出力が得られる、［６図］Ｒは放射線、ＩＮはフイルム絶縁紙、Ｃ２は放射線漏れを防ぐための鉛ケース、ＦＣは強度を保つための鉄のケース［８図］も同じ、【０００７】  ［７図］は太陽電池モジュール板Ｍに絶縁塗料塗料を塗布し、核の放射線を放射したもの、この場合は絶縁紙が無いため出力が大きい［９図］は［７図］の組立図である、ＭＫ３の太陽電池モジュール板と放射練Ｒの間に絶縁塗料を塗布し放射線を放射し間隔を接近しパワーを上げ、制作上簡単にした、【０００８】  ［１０図］は電圧上昇し出力を上げるための積層の実態組立図である、ＲＫの数だけ電圧が上昇する、［１１図］は［１０図］の電気的結線図であるモジュール板Ｍ１，Ｍ２の電圧よりＭ３，Ｍ４の電圧が２倍高くなる［１１図］の様にモジュール板Ｍを積層する事によって電圧が上昇し大きな出力が得られるこの様に大量の太陽電池モジュール板を詰込みコンパクトに出来る、しかし放射線が存在している、
放射線漏れを防ぐため［１０図］ＩＮの絶縁フイルムと鉛ケースＣによって保護し更に外部を鉄のケースで囲む、本発明の電気は核の放射線より得た電気であるため、数十年以上の長寿命である。
【発明の効果】
【０００９】  本発明は核エネルギー電気エネルギーに変え、その電気を移動式の電池に作り携帯用としても使用てきる様にしたもの、此の電気は核エネルギーを利用した電気であるため、寿命が長く数十年以上使用出来る、
従来にに無い新規構成により、物質の消耗や使い捨て、充電など不要となる、
又化石燃料の変わりとしても高性能エネルギーである、
【図面の簡単な説明】
【図１】Ｒ１は原子核、Ｅ１放射線電子、［放射濃粒子］
【図２】放射線の電子と静電気粒子、
【図３】ＲＫは放射した炭素や金属板、Ｓは静電気、Ｒは核の放射線、
【図４】ＭＯ，太陽電池モジュール板
【図５】本体組立図の実態図、ＭＯ、ＭＡ，太陽電池モジル板、ＩＮ絶縁紙，ＲＫ，放射した金属板、
【図６】〔５図〕の組み立て図を上部から見た図［部品説明図］ＦＣ鉄ケースＣ２鉛ケースＰ１，Ｐ２プラス電極Ｎ１，Ｎ２マイナス電極、Ｒ放射線Ｍ１，Ｍ２、太陽電池モジュール板、ＲＫ放射線板、ＩＮ，絶縁フイルム
【図７】太陽電池モジュール板に直接放射線を放射したもの、Ｍモジュル板，Ｓ静電気，Ｒ核の放射線
【図８】〔６図〕を電気的に結線したものＤ１マイナス出力Ｐ２プラス出力、ＦＣ鉄ケース、Ｃ２鉛ケース、Ｍ１，Ｍ２，太陽電池モジュール板
【図９】〔７図〕を電気的に説明した図、Ｔ絶縁塗料  Ｒ放射線
【図１０】電圧上昇目的のため、積層に組立た実態図，ＦＣ鉄ケース  Ｃ鉛ケース、ＩＮ絶縁フイルム、Ｍ１Ｍ３Ｍ３Ｍ４太陽電池モジュール板ＲＫ１ＲＫ２放射線板
【図１１】は〔１０図〕の実態図の積層を電圧上昇回路の電気的結線図したもの、記号は〔１０図〕と同じ。
【符号の説明】
Ｒ，Ｒ１  電子
ＲＫ，放射線板
Ｓ，静電気
Ｅ１，Ｅ２，Ｅ３  電子、
ＲＫ，放射した炭素又は金属板
Ｍ，ＭＯ，ＭＫ，太陽電池モジュール板
ＦＣ，鉄ケース
Ｃ，鉛ケース、
ＩＮ，フイルム絶縁材
Ｎ１，Ｎ２，Ｎ３，マイナス電極
Ｐ１，Ｐ２，Ｐ３，プラス電極
Ｄ１，Ｄ３，マイナス出力端子
Ｄ２，Ｄ４，プラス出力端子
Ｎ１，２，はＭ１、Ｍ２のマイナス電極の結線、
Ｐ１，２，はＭ１，Ｍ２のプラス電極の結線、
【図１】
2007235078.tif 000003
【図２】
2007235078.tif 000004
【図３】
2007235078.tif 000005
【図４】
2007235078.tif 000006
【図５】
2007235078.tif 000007
【図６】
2007235078.tif 000008
【図７】
2007235078.tif 000009
【図８】
2007235078.tif 000010
【図９】
2007235078.tif 000011
【図１０】
2007235078.tif 000012
【図１１】
2007235078.tif 000013